【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
移行セクションの内部空間を包囲する側壁を有し、内部空間と連絡している上部開口と、内部空間と連絡している底部開口とを有し、上部開口が、材料を移行セクションへ運び、かつ排出コンベアから、移行セクション上部開口を通って移行セクション内部空間内へ材料を届ける排出コンベアへアクセス可能であるような構成および寸法にされている移行セクションと、
両端に取入および排出端部を備える管状の長さ、および装填チューブを通って延びる中空の内部孔を有し、装填チューブ内部孔が、装填チューブを通って流れる材料が蓄積する可能性がある内部孔からいかなる隅部も除去する断面形状を有する装填チューブと、
装填チューブ排出端部から材料を排出する速度を調節するために複数の異なる方向で装填チューブ排出端部を調節可能に位置決めするために装填チューブを通って材料が連続的に流れている間、移行セクションに対する装填チューブの第１と第２の位置の間の装填チューブの移動のために、移行セクションから装填チューブへ材料を連続的に移送することを可能にする移行セクション底部開口で装填チューブ取入端部を移行セクションと接続する接続組立体
と
を備える材料移送装置。
【請求項２】
移行セクション底部開口のすぐ下方、かつ受入コンベアの上に配置されている装填チューブと、装填チューブから受入コンベア上への材料の流れの速度を調節するために、受入コンベアに対して調節可能に配置されている装填チューブ排出端部と
をさらに備える請求項１に記載の装置。
【請求項３】
装填チューブ取入端部と移行セクション底部開口の間の可撓性のシール
をさらに備える請求項２に記載の装置。
【請求項４】
受入コンベア上での材料の安定した輪郭形状に類似した輪郭形状で、装填チューブから受入コンベア上へ排出される材料を配置するような形状にされた、装填チューブ取入端部と排出端部の間の断面形状を有する装填チューブ
をさらに備える請求項２に記載の装置。
【請求項５】
移行セクション底部開口の上方に配置された装填チューブ取入端部、および装填チューブ内部孔の内部に配置された移行セクション底部開口
をさらに備える請求項２に記載の装置。
【請求項６】
移行セクションの内部空間を包囲する側壁を有し、内部空間と連絡している上部開口と、内部空間と連絡している底部開口とを有し、上部開口が、材料を移行セクションへ運び、排出コンベアから、移行セクション上部開口を通って移行セクション内部空間内へ材料を届ける排出コンベアへアクセス可能であるような構成および寸法にされている移行セクションと、
両端に取入および排出端部を備える管状の長さ、および装填チューブを通って延びる中空の内部孔を有する装填チューブと、
装填チューブ排出端部から材料を排出する速度を調節するために複数の異なる方向で装填チューブ排出端部を調節可能に位置決めするために、移行セクションに対する装填チューブの第１と第２の位置の間での装填チューブの移動のために、移行セクション底部開口で装填チューブ取入端部を移行セクションと接続する接続組立体と、
装填チューブ取入端部と排出端部の間に連続的な曲線で形成された装填チューブ長さと
を備える材料移送装置。
【請求項７】
移行セクションに対して第１と第２の位置の間で装填チューブを移動させるように動作可能である、移行セクションと装填チューブの間に接続された機構を含む接続組立体
をさらに備える請求項１に記載の装置。
【請求項８】
移行セクションの内部空間を包囲する側壁を有し、内部空間と連絡している上部開口と、内部空間と連絡している底部開口とを有し、上部開口が、材料を移行セクションへ運び、排出コンベアから、移行セクション上部開口を通って移行セクション内部空間内へ材料を届ける排出コンベアへアクセス可能であるような構成および寸法にされている移行セクションと、
両端に取入および排出端部を備える管状の長さ、および装填チューブを通って延びる中空の内部孔を有する装填チューブと、
装填チューブ排出端部から材料を排出する速度を調節するために複数の異なる方向で装填チューブ排出端部を調節可能に位置決めするために、移行セクションに対する装填チューブの第１と第２の位置の間の装填チューブの移動のために、移行セクション底部開口で装填チューブ取入端部を移行セクションと接続する接続組立体と、
移行セクションに対して第１と第２の位置の間で装填チューブを移動させるように動作可能である、移行セクションと装填チューブの間に接続された機構を含む接続組立体と、
移行セクションと装填チューブの間に延びる長さを有し、機構の長さが、機構の長さを変更することに応答して移行セクションに対して装填チューブを移動させるように調節可能である機構と
を備える材料移送装置。
【請求項９】
移行セクションの内部空間を包囲する側壁を有し、内部空間と連絡している上部開口と、内部空間と連絡している底部開口とを有し、上部開口が、材料を移行セクションへ運び、排出コンベアから、移行セクション上部開口を通って移行セクション内部空間内へ材料を届ける排出コンベアへアクセス可能であるような構成および寸法にされている移行セクションと、
両端に取入および排出端部を備える管状の長さ、および装填チューブを通って延びる中空の内部孔を有する装填チューブと、
装填チューブ排出端部から材料を排出する速度を調節するために複数の異なる方向で装填チューブ排出端部を調節可能に位置決めするために、移行セクションに対する装填チューブの第１と第２の位置の間の装填チューブの移動のために、移行セクション底部開口で装填チューブ取入端部を移行セクションと接続する接続組立体と、
移行セクションに対して第１と第２の位置の間で装填チューブを移動させるように動作可能である、移行セクションと装填チューブの間に接続された機構を含む接続組立体と、
移行セクションと装填チューブの間に接続された線形アクチュエータである機構と、
を備える材料移送装置。
【請求項１０】
移行セクションと装填チューブの間にヒンジ接続部を含む接続組立体
をさらに備える請求項１に記載の装置。
【請求項１１】
装填チューブを移行セクションに接続する、１対の同軸上に位置合わせされた枢動ピンを含む接続組立体
をさらに備える請求項１に記載の装置。
【請求項１２】
移行セクションの内部空間を包囲する側壁を有し、内部空間と連絡している上部開口と、内部空間と連絡している底部開口とを有し、上部開口が、材料を移行セクションへ運び、排出コンベアから、移行セクション上部開口を通って移行セクション内部空間内へ材料を届ける排出コンベアへアクセス可能であるような構成および寸法にされている移行セクションと、
両端に取入および排出端部を備える管状の長さ、および装填チューブを通って延びる中空の内部孔を有する装填チューブと、
移行セクションと装填チューブの間の可撓性の一次シールと、
移行セクションと装填チューブの間であり、かつ一次シールの内側の可撓性の二次シールと、
を備える材料移送装置。
【請求項１３】
移行セクションに固定され、かつ装填チューブに固定された一次シールと、
移行セクションに対して移動可能である装填チューブと
をさらに備える請求項１２に記載の装置。
【請求項１４】
装填チューブとともに移動するために装填チューブに固定された二次シール
をさらに備える請求項１３に記載の装置。
【請求項１５】
平坦な、円形のシールである二次シール
をさらに備える請求項１４に記載の装置。
【請求項１６】
円筒形のシールである一次シール
をさらに備える請求項１５に記載の装置。
【請求項１７】
移行セクションの内部のダイバータプレートをさらに備え、ダイバータプレートが、上向きに方向付けられた頂点を備える逆Ｖ字型の断面を有する請求項１２に記載の装置。
【請求項１８】
移行セクションの内部空間を包囲する側壁を有し、内部空間と連絡している上部開口と、内部空間と連絡している底部開口とを有し、上部開口が、材料を移行セクションへ運び、排出コンベアから、移行セクション上部開口を通って移行セクション内部空間内へ材料を届ける排出コンベアへアクセス可能であるような寸法および構成にされている移行セクションと、
両端に取入および排出端部を備える管状の長さ、および装填チューブを通って延びる中空の内部孔を有し、装填チューブ取入端部から装填チューブ排出端部まで装填チューブの長さに沿って円形断面を有し、装填チューブ長さが、装填チューブ取入端部から装填チューブ排出端部まで連続する曲線で形成されている装填チューブと
を備える材料移送装置。
【請求項１９】
装填チューブ排出端部から受入コンベア上に材料を排出するために所望の方向に装填チューブ排出端部を位置決めする装填チューブの湾曲
をさらに備える請求項１８に記載の装置。
【請求項２０】
移行セクションに対して第１と第２の位置の間で装填チューブを移動させるための装填チューブを移行セクションと接続する接続組立体
をさらに備える請求項１９に記載の装置。
【請求項２１】
装填チューブが移行セクションに対して装填チューブの第１と第２の位置の間の弧を通って枢動することを可能にする装填チューブと移行セクションの間の枢動接続部を含む接続組立体
をさらに備える請求項２０に記載の装置。